(57)【要約】【課題】  設計の自由度が増し、かつ耐久性に優れ、内部に埃が入り難い電子機器を提供すること。【解決手段】  基板１２と、基板１２に対向して配置された操作パネル部１１と、操作子装置２０とで電子機器１０を構成した。操作子装置２０は、基板１２の下面に取り付けられた操作子本体２１と、操作子本体２１に移動可能に取り付けられアクチュエータ２２ｂを備えた移動体２２と、スライド穴１５に沿って移動可能な移動体２３とで構成した。移動体２３は、基板１２と操作パネル部１１との間に設けた摺動片２５と、アクチュエータ２２ｂに係合する係合端部２６と、スライド穴１５を通過して操作パネル部１１の表面ＯＳに突出する摘み部２７とで構成した。そして、係合端部２６は、アクチュエータ２２ｂに移動方向にのみ力を加えて移動体２２を移動させるようにした。【選択図】  図４
2006179426.tif 000002
【特許請求の範囲】
【請求項１】
被移動体を保持した操作子本体と、前記被移動体に対して移動する第１の移動体と該移動体に設けた係合アクチュエータに係合する第２の移動体と前記操作子本体に固着された端子部とからなる操作子装置と、前記操作子装置を固定的に保持する基板と、前記第２の移動体を摺動自在にその表面に露出させた操作パネル部とからなる電子機器において、
前記基板は前記操作パネル部の下方に配設されてなり、前記第２の移動体の前記アクチュエータに嵌合する側の係合端部と前記パネル部表面に露出させた第２の移動体の摘み部との間に設けた摺動片と、前記摺動片の摺動時に前記摺動片をガイドしかつ前記摺動片を前記パネル部と前記基板のいずれか一方側に帰属させるようにして前記両者の間に配設したガイド体とを有するとともに、前記ガイド体を前記両者間に配設することで前記アクチュエータに前記パネル部表裏方向の押圧力が掛からないように規制した前記摺動片を介して前記アクチュエータを移動方向に移動させるようにした操作子装置を有することを特徴とする電子機器。
【請求項２】
操作パネル部に対し変位する操作部情報を操作パネル部に対する位置関係または移動関係にて変位する変位情報を端子部から発生する操作子装置を備えた電子機器において、
前記操作パネル部に対し指で操作される摘み部とこれに連動する前記操作パネル部裏面側に設けた表面側摺動体と該摺動体を前記操作パネル部に保持する摺動体保持部とからなる第１摺動ユニットと、前記表面側摺動体に連動し駆動されるアクチュエータとこれに連動する奥側摺動体と該奥側摺動体を移動可能に保持しつつ移動情報を発生させる移動情報発生手段とからなる第２摺動ユニットと、前記移動情報発生手段を保持する基板とを有し、
前記第１の摺動ユニットと第２の摺動ユニットとは分離結合可能に構成され、結合時にあっては前記表面側摺動体とアクチュエータとが前記パネル部表裏方向には押圧力が掛からず、摺動方向には力伝達されるように構成したことを特徴とする電子機器。
【請求項３】
前記摺動片に前記ガイド体を付勢する弾性体を設けた請求項１に記載の電子機器。
【請求項４】
前記摺動片で、前記第２の移動体と前記操作パネル部との間の隙間を塞ぐようにした請求項１または３に記載の電子機器。
【発明の詳細な説明】
【技術分野】
【０００１】
本発明は、スライド型操作子装置を備えた電子機器に関する。
【背景技術】
【０００２】
従来から、例えば、電子楽器やミキサーのような装置に用いられる電子機器の中に、スライド型の操作子装置を備えたものがある（例えば、特許文献１参照）。この電子機器では、フェーダ基体や、フェーダ基体に沿って移動可能な操作子等の各装置がフェーダユニットとして一体的に構成されている。そして、このフェーダユニットは操作パネル部に形成された取付け穴に嵌め込まれることにより対応する装置に取り付けられる。また、操作パネル部には、発光体、回転型ＶＲ（バリアブルレジスタ）、押釦スイッチ等の部品も取り付けられており、それらの基板はフェーダユニットの下方に設置される。
【特許文献１】特開平６−３１４５９７号公報
【発明の開示】
【０００３】
しかしながら、前述した従来の電子機器のフェーダユニットは、スライド部分とセンシング部分とがパネル表裏方向に積層して設けられているため、操作パネル部に取り付けられる各部品と基板との間の長さが長くなってしまうという問題がある。このため、フェーダ基体や操作子等の各装置をユニットにせずに、それぞれ別に取り付けることも考えられるが、これによっても、操作パネル部に取り付けられる各部品と基板との間の長さを効果的に短くすることは困難である。この結果、各部品のスペーサの長さが長くなりコストアップになるという問題がある。
【０００４】
また、各部品のうちの電子機器内部に設置される部品は基板上に取り付けられるが、基板上には、操作パネル部の隙間（操作子が移動する部分）から電子機器内部に入った埃が溜まることがあり、溜まった埃によって各部品の周囲が熱でこもるという問題もある。さらに、操作パネル部と基板との間には固定ねじを取り付けるための取付突起が必要であるが、操作パネル部と基板との間の長さが長くなるとこの取付突起の数を増加する必要が生じる。
【０００５】
また、取付突起の数を増加させずにすむ場合でも、その取付突起の設置場所には、部品を設置することができないため、取付突起を避けて各部品を設置しなければならなくなる。このため、電子機器が大型化したり、各部品を均等に配置することができなかったりして、操作パネル部上の部品の並びも悪くなるという問題もある。このように、従来の電子機器においては、設計の自由度が少ないという問題もあった。さらに、従来の電子機器では、操作子を移動させる際に、指で操作子を押さえると、その力が直接内部側の部材に伝わるため、内部の部材やその部材と接触する他の部材等が破損しやすくなるという問題がある。
【０００６】
本発明は、前述した問題に対処するためになされたもので、その目的は、設計の自由度が増し、かつ耐久性に優れ、内部に埃が入り難い電子機器を提供することである。
【０００７】
前述した目的を達成するため、本発明に係る電子機器の構成上の特徴は、被移動体を保持した操作子本体と、被移動体に対して移動する第１の移動体と該移動体に設けた係合アクチュエータに係合する第２の移動体と操作子本体に固着された端子部とからなる操作子装置と、操作子装置を固定的に保持する基板と、第２の移動体を摺動自在にその表面に露出させた操作パネル部とからなる電子機器において、基板は操作パネル部の下方に配設されてなり、第２の移動体のアクチュエータに嵌合する側の係合端部とパネル部表面に露出させた第２の移動体の摘み部との間に設けた摺動片と、摺動片の摺動時に摺動片をガイドしかつ摺動片をパネル部と基板のいずれか一方側に帰属させるようにして両者の間に配設したガイド体とを有するとともに、ガイド体を両者間に配設することでアクチュエータにパネル部表裏方向の押圧力が掛からないように規制した摺動片を介してアクチュエータを移動方向に移動させるようにした操作子装置を有することにある。
【０００８】
前述したように構成した本発明の電子機器では、第２の移動体に設けた摺動片をガイドするとともに、操作パネル部と基板とのいずれか一方側に押し付けるガイド体を設けて、第２の移動体からアクチュエータに押さえる力が掛からないようにしている。このため、アクチュエータには、ガイド体からの力がかからなくなり、破損し難くなる。また、センサ部分（センスする部分とされる部分との関係）に力が掛からないため、情報が飛び飛びにセンスするということがなく、センシング精度が上がる。また、操作者が手で操作するための第２の移動体と、被移動体に対して移動することにより変位情報を端子部を介して発生する第１の移動体とが別部材で構成されている。そして、第２の移動体を移動させることにより第１の移動体が第２の移動体と連動して移動するように構成されている。
【０００９】
したがって、第２の移動体を精度よく製造でき、組付け精度も向上させることができる。この結果、操作パネル部と第２の移動体との間の隙間を少なくして、電子機器の内部に埃が入り難くすることができる。また、この電子機器では、基板における操作パネル部側の面がパターン面となり、基板におけるパターン面と反対側の面が各部品を設置するための面となる。このため、部品周囲には埃が溜まらなくなり、熱がこもることも防止される。
【００１０】
さらに、操作パネル部と基板とを接近させて配置できるため、発光体等のスペーサを低くすることができ低コスト化が図れる。また、これによって、高さの高い部品を設置することが可能になる。また、操作パネル部と基板とを固定するための取付突起は、基板のパターン面さえ避ければどこにでも設けることができるため、取付突起の配置に自由度が増す。また、取付突起の設置数を任意に増やすことができ、これによって操作パネル部の剛性が増すようになる。この結果、操作パネル部の厚みを薄くすることもできる。
【００１１】
本発明に係る電子機器の他の構成上の特徴は、操作パネル部に対し変位する操作部情報を操作パネル部に対する位置関係または移動関係にて変位する変位情報を端子部から発生する操作子装置を備えた電子機器において、操作パネル部に対し指で操作される摘み部とこれに連動する操作パネル部裏面側に設けた表面側摺動体と該摺動体を操作パネル部に保持する摺動体保持部とからなる第１摺動ユニットと、表面側摺動体に連動し駆動されるアクチュエータとこれに連動する奥側摺動体と該奥側摺動体を移動可能に保持しつつ移動情報を発生させる移動情報発生手段とからなる第２摺動ユニットと、移動情報発生手段を保持する基板とを有し、第１の摺動ユニットと第２の摺動ユニットとは分離結合可能に構成され、結合時にあっては表面側摺動体とアクチュエータとがパネル部表裏方向には押圧力が掛からず、摺動方向には力伝達されるように構成したことにある。
【００１２】
本発明に係る電子機器のさらに他の構成上の特徴は、摺動片にガイド体を付勢する弾性体を設けたことにある。この場合の弾性体の付勢方向は上下方向または水平方向にすることができる。これによると、摺動片がガイド体に確実に付勢されるため、摘み部から突起への押さえる力が確実に遮断され突起に掛からなくなる。また、この場合、第２の移動体と弾性体とを一体的に成形できるため部品点数を増加させることがなくなり、構造が簡単になる。
【００１３】
本発明に係る電子機器のさらに他の構成上の特徴は、摺動片で、第２の移動体と操作パネル部との間の隙間を塞ぐようにしたことにある。これによると、操作パネル部が備えるスライド穴から電子機器の内部に埃が入ることを防止できる。この場合、摺動片をスライド穴に沿って延びる長い部材で構成し、第２の移動体がどの位置に位置しても、摺動片がスライド穴全体を塞ぐことができるようにすることが好ましい。
【００１４】
なお、本発明に係る電子機器を、長穴が形成された基板と、基板に対向して配置され長穴と平行して延びるスライド穴が形成された操作パネル部と、基板と操作パネル部との間に長穴およびスライド穴に沿って設けられたガイド体と、基板と操作パネル部との間に配置されガイド体に沿って移動可能な摺動片と摺動片からスライド穴を通過して延び操作パネル部の表面に突出する摘み部と摺動片から長穴を通過して延びる係合端部とからなる第２の移動体と、基板における操作パネル部側と反対側の面に取り付けられ長穴と平行して延びる被移動体を備えた操作子本体と、被移動体の長手方向に移動可能に取り付けられ第２の移動体の係合端部に係合可能なアクチュエータを備えた第１の移動体と、操作子本体に設けられ、被移動体に対する第１の移動体の変位情報を接続機器に伝達するための端子部とを備え、第２の移動体を長穴およびスライド穴に沿って移動させた際に、係合端部が、アクチュエータに対して移動方向にのみ力を加えて第１の移動体を移動させるように構成することもできる。
【００１５】
これによると、第２の移動体をスライド穴に沿って移動させたときに、第２の移動体の係合端部からアクチュエータにかかる力はスライド穴に沿った移動方向のみになる。このため、操作者が、第２の移動体の摘み部をアクチュエータ側に押さえ付けた状態でスライド穴に沿って移動させても、アクチュエータには、押さえられる力は伝わらない。これによって、アクチュエータに、第１の移動体を長穴に沿って移動させるための力以外の力が加わってアクチュエータが損傷するといったことが防止される。また、この場合、第２の移動体の摺動片をガイドするガイド体としては、摺動部の両側部に摺接して摺動片をガイドするものや、レール状の凹部や突部を備えた壁部で構成することができる。ガイド体をレール状の凹部や突部を備えた壁部で構成した場合には、摺動部にその凹部や突部に移動可能に係合する突部や凹部を設ける。
【発明を実施するための最良の形態】
【００１６】
以下、本発明の一実施形態を図面を用いて説明する。図１ないし図３は、本発明にかかる電子機器１０を示している。この電子機器１０は、例えば、様々な機器からの音の信号を入力して音量を調節したり、音質を変えたりするミキサーに取り付けられる装置として使用することができる。この電子機器１０は、操作パネル部１１と、基板１２と、操作子装置２０とで構成されている。電子機器１０は、複数個の基板１２および操作子装置２０を備えており、これらは、所定間隔を保って操作パネル部１１に並設されている。
【００１７】
操作パネル部１１は、樹脂からなる長方形の板状体で構成され、表面ＯＳの所定部分に深さの浅い指当て用の指用凹部１３が複数個（１個しか図示していない）形成されている。そして、各指用凹部１３の中央部に操作子（後述する摘み部２７）移動用の操作子用凹部１４が指用凹部１３の長手方向に沿って設けられ、操作子用凹部１４の中央部に操作パネル部１１の裏面に貫通するスライド穴１５が操作子用凹部１４の長手方向に沿って設けられている。
【００１８】
また、操作パネル部１１の裏面における指用凹部１３の周縁部に対応する部分には、本発明のガイド体および摺動体保持体としての組付け用枠１６が形成されている。この組付け用枠１６は下面が開口した枠体で構成され長手方向に直交する両端面に、図４および図５に示したように、挿通孔１６ａ，１６ｂが形成されている。そして、操作パネル部１１の裏面における四隅近傍にはそれぞれ、下方（以下、図２、図４および図５における上下方向に基づいた方向で上方および下方を説明する。）に向かって延びる円筒状の取付突起１７が形成されている。
【００１９】
基板１２は、操作パネル部１１と同形（厚みは異なる。）の樹脂材料からなる板状体で構成され、操作パネル部１１と所定間隔を保って互いに対向した状態で組み付けられている。また、基板１２における操作パネル部１１のスライド穴１５に対向する部分には、長穴１８が設けられ、取付突起１７に対向する部分には、ねじ用の穴部（図示せず）が設けられている。そして、基板１２の裏面側から穴部にねじ１９を通し、各ねじ１９を対応する取付突起１７の内周面に捩じ込むことにより操作パネル部１１と基板１２とが組み付けられている。
【００２０】
操作子装置２０は、本発明の操作子本体および移動情報発生手段としての操作子本体２１と、本発明の第１の移動体および奥側摺動体としての移動体２２と、本発明の第２の移動体および表面側摺動体としての移動体２３と、端子部２４とで構成されている。操作子本体２１は、基板１２の裏面に長穴１８と平行して取り付けられており、長手方向に沿った両側部が突条からなる本発明に係る被移動体としてのレール部２１ａで構成され、下面に抵抗パターン２１ｂが形成されている。また、操作子本体２１の長手方向に直交する両端面には、それぞれ端子部２４が取り付けられ、この端子部２４が基板１２の上面側に貫通することにより、操作子本体２１は基板１２に固定されている。
【００２１】
移動体２２は、操作子本体２１のレール部２１ａに移動可能に取り付けられた摺接子２２ａと、摺接子２２ａの側部から長穴１８に向って延びるアクチュエータ２２ｂとで構成されている。摺接子２２ａは、レール部２１ａに沿って移動する際に、操作子本体２１の抵抗パターン２１ｂに接触し短絡させることによりその位置に応じた抵抗を発生させる。
【００２２】
移動体２３は、図４および図５に示したように、操作パネル部１１と基板１２との間に位置する摺動片２５と、摺動片２５の下部中央部から下方に延びた係合端部２６と、摺動片２５の上部中央部から上方に延びた取付片２７ａに固定された摘み部２７とで構成されている。摺動片２５は、断面形状が下部が開口した四角枠状に形成された本体部２５ａと、本体部２５ａの両側に延びる断面形状がＴ形の閉塞部２５ｂ，２５ｃとを備えている。
【００２３】
本体部２５ａは、操作パネル部１１の組付け用枠１６内に設置され、組付け用枠１６の両内側面、操作パネル部１１におけるスライド穴１５が形成された部分の下面および基板１２の上面に囲まれた状態で、がたつくことなく組付け用枠１６の長手方向に沿って移動可能になっている。また、閉塞部２５ｂ，２５ｃは、挿通孔１６ａ，１６ｂを通って組付け用枠１６の内部と外部との間を移動可能になっている。この閉塞部２５ｂ，２５ｃの両端部が、常に、組付け用枠１６内に位置するように、閉塞部２５ｂ，２５ｃの長さは長く設定されている。そして、閉塞部２５ｂ，２５ｃの上面は、スライド穴１５の周縁部に接触してスライド穴１５を閉塞している。
【００２４】
また、係合端部２６は、本体部２５ａの下部中央から長穴１８を通過して下方に延びている。この係合端部２６は、摺動片２５の長手方向に沿った方向に所定間隔を保った状態で下方に突出する一対の係合片２６ａ，２６ｂを備えている。そして、この係合片２６ａ，２６ｂ間に、移動体２２のアクチュエータ２２ｂが位置決めされている。アクチュエータ２２ｂは、係合片２６ａ，２６ｂの内側面部のみに接触している。
【００２５】
摘み部２７は、平面視が長方形のキャップ状に形成され、本体部２５ａの上部中央からスライド穴１５を通過して上方に延びた取付片２７ａに、操作パネル部１１の表面ＯＳ側から押し付けられることによって取り付けられている。すなわち、摘み部２７の下面には筒状の係合部２７ｂが形成されており、この係合部２７ｂの内部に取付片２７ａを差し込むことにより、摘み部２７は、摺動片２５に取り付けられている。
【００２６】
この摘み部２７は、操作子用凹部１４内に移動可能な状態で設置されている。このため、指を摘み部２７の上面に当て、摘み部２７を操作子用凹部１４（スライド穴１５）に沿って移動させると、係合端部２６が長穴１８に沿って移動する。さらに、アクチュエータ２２ｂが係合端部２６に係合しているため、移動体２２が、操作子本体２１に沿って移動する。これによって、摺接子２２ａが、抵抗パターン２１ｂの所定部分に接触して所定の抵抗が発生する。この抵抗の値は、端子部２４を介して接続された他の機器ＳＳに伝達される。
【００２７】
上記抵抗パターン２１ｂは、その長手方向に電気抵抗分布を有するような抵抗体で構成されるとしたが、抵抗分布ではなく離散的導電体パターンを施すようにしたデジタルスイッチタイプのレベル設定器であってもよい。この場合には、情報出力端子構造が少し異なるだけで、この発明の特徴部分は変わらずに構成することができる。また、本発明に係る電子機器１０においては、指で操作される摘み部２７とこれに連動する移動体２３と、移動体２３を操作パネル部１１に保持する組付け用枠１６で本発明に係る第１摺動ユニットが構成される。そして、移動体２２に連動し駆動されるアクチュエータ２２ｂとこれに連動する移動体２２と移動体２２を移動可能に保持しつつ移動情報を発生させる操作子本体２１とで本発明に係る第２摺動ユニットが構成される。また、基板１２は、第２摺動ユニットに帰属する。
【００２８】
また、操作パネル部１１および基板１２の近傍には、ミキサーを構成する各種の枠体やパネル部等が設置され、これらに各操作子や部品等が取り付けられている。これらのうち装置内部に設置される部品の多くは、基板１２の下側に配置されている。そして、このように構成された電子機器１０は、各種の音楽機器に接続されるミキサーに組み込まれて、操作者が摘み部２７を操作することにより、各種の楽器音、人の声などを電気信号に変換するマイク、電子楽器、電気楽器等の種々の音楽機器からオーディオ信号を入力して音量を調節したり、音質を変えたりする。そして、その信号を出力装置に出力する。
【００２９】
この電子機器１０を操作する際、すなわち操作者が指で摘み部２７を押さえた状態でスライド穴１５に沿って移動させる際、摘み部２７は、下面周縁部を操作子用凹部１４の底部に軽く当てた状態か、または操作子用凹部１４の底部に対して非接触の状態で移動する。また、摺動片２５の本体部２５ａおよび閉塞部２５ｂ，２５ｃは、組付け用枠１６、操作パネル部１１および基板１２に囲まれ、がたつくことなく安定した状態で、組付け用枠１６に沿って移動する。
【００３０】
そして、係合端部２６には、下方に向かう力がかかることなく、長穴１８の長手方向に沿った力のみが加わる。このため、係合端部２６に係合するアクチュエータ２２ｂにも下方に向かう力はかからず長穴１８の長手方向に沿った力のみが係合端部２６から伝わり、アクチュエータ２２ｂは係合端部２６とともに、長穴１８に沿って移動する。この結果、摺接子２２ａは、抵抗パターン２１ｂに沿って移動する。
【００３１】
この場合、移動体２３が移動範囲におけるどの位置に移動しても、スライド穴１５は、摺動片２５の本体部２５ａと閉塞部２５ｂ，２５ｃとの上面によって閉塞された状態になる。このため、スライド穴１５を介して外部から電子機器１０内に埃が入り込むことが防止される。また、埃がスライド穴１５から入っても各部品等は、基板１２の下側に配置されているため、部品等の周囲に埃が溜まることはない。このため、埃が原因となって、各部品等の周囲に熱がこもるといったことはなくなる。
【００３２】
このように、本実施形態に係る電子機器１０では、操作者が手で操作する移動体２３と、抵抗パターン２１ｂに対して移動することにより所定の抵抗値からなる変位情報を発生する移動体２２とが別部材で構成されている。そして、移動体２３を移動させることにより移動体２２が移動体２３と連動して移動するように構成されており、この際、移動体２２のアクチュエータ２２ｂには、移動方向への力以外の力は掛からない。このため、移動体２２を構成するアクチュエータ２２ｂや摺接子２２ａには、必要以上の力がかからなくなり、破損し難くなる。
【００３３】
また、本発明に係る他の実施形態として、摺動片２５と組付け用枠１６の内側面との間、摺動片２５と操作パネル部１１の下面との間または摺動片２５と基板１２の上面との間に弾性体を設置することができる。この場合の弾性体の付勢方向は水平方向または上下方向になり、これによると、摺動片２５が周囲の挿通孔１６ａ，１６ｂの壁面等に付勢されるため、移動体２３が移動する際に、がたつくことを確実に防止できる。
【００３４】
また、この場合、摺動片２５と弾性体とを一体的に成形することが好ましい。これによって、部品点数を増加させることがなくなり、構造が簡単になることを防止できる。この弾性体としては、板状の弾性部材や弓状に湾曲した部材を用いることができる。弓状に湾曲した弾性部材を用いる場合には、その両端部を摺動片２５の閉塞部２５ｂ，２５ｃに連結し、中央部を操作パネル部１１の裏面に接触させる構造にすることができる。さらに、この弾性体は、摺動片２５でなく、組付け用枠１６の内側面、操作パネル部１１の下面または基板１２の上面に取り付けることもできる。
【００３５】
また、本発明に係る電子機器１０は、前述した実施形態に限るものでなく、適宜変更実施が可能である。例えば、前述した実施形態では、係合端部２６に係合片２６ａ，２６ｂを設け、アクチュエータ２２ｂを細長い板状の突起で構成しているが、これを逆にすることができる。また、突起の先端にリング状の係合部を設けるとともに、係合端部をリング状の係合部に係合可能な棒状のもので構成することもできる。
【００３６】
さらに、前述した実施形態では、ガイド体を組付け用枠１６で構成しているが、このガイド体をレール部を備えた壁部で構成し、摺動片２５にレール部に移動可能な状態で係合できる係合部を設けることもできる。また、前述した実施形態では、電子機器１０をミキサーに使用するものとしたが、本発明にかかる電子機器は、これに限らず、スライド式の操作子装置を備える装置であれば取り付けて使用することができる。
【図面の簡単な説明】
【００３７】
【図１】本発明の一実施形態に係る電子機器の平面図である。
【図２】図１に示した電子機器の正面図である。
【図３】図１に示した電子機器の底面図である。
【図４】図１の４−４断面図である。
【図５】図１の５−５断面図である。
【符号の説明】
【００３８】
１０…電子機器、１１…操作パネル部、１２…基板、１５…スライド穴、１６…組付け用枠（ガイド体、摺動体保持体）、１８…長穴、２０…操作子装置、２１…操作子本体（移動情報発生手段）、２１ａ…レール部（被移動体）、２１ｂ…抵抗パターン、２２…移動体（第１の移動体、奥側摺動体）、２２ｂ…アクチュエータ、２３…移動体（第２の移動体、表面側摺動体）、２４…端子部、２５…摺動片、２６…係合端部、２７…摘み部、ＯＳ…表面、ＳＳ…機器
【図１】
2006179426.tif 000003
【図２】
2006179426.tif 000004
【図３】
2006179426.tif 000005
【図４】
2006179426.tif 000006
【図５】
2006179426.tif 000007